(57)【特許請求の範囲】
【請求項１】
光源（５）と、対物レンズ（４）と、対物レンズ（４）の下流側に配置され、対物レンズ４からくる対象物の光を直接ＣＣＤイメージセンサ（２４）に合焦させるズームシステム（２３）と、ＣＣＤイメージセンサ（２４）によって制御され、対象物のイメージをスクリーン（８）上へ出力するコンピュータ（２５）とを有し、スクリーン（８）が対象物を視覚的に観察するための唯一の出力手段を成しているコンパクトなビデオ顕微鏡において、
（ａ）顕微鏡が、特にコンピュータ（２５）を収容している一体のケーシング（１ａ）内に形成されていること、
（ｂ）スクリーンが透明な平面スクリーン（８）として形成され、ケーシング（１ａ）の上部部分の観察者側に組み込まれていること、
（ｃ）ＣＣＤイメージセンサ（２４）が対象物の光の作用から切り離し可能であり、ＣＣＤイメージセンサ（２４）を切り離した状態で、対象物の光が、光路内へ持ちきたし可能な少なくとも一つの反射ミラー（２８）および（または）少なくとも一つのプリズムへ入射し、反射ミラー（２８）および（または）プリズムは、対象物の光をスクリーン（８）の観察者側とは逆の側に投射すること、
（ｄ）投射された対象物の実際の像に、グラフィック、英数字、および（または）この対象物の実際の像を投射する前にＣＣＤイメージセンサ（２４）により記録され記憶されている対象物の像が、スクリーン（８）を用いて重畳可能であること、を特徴とするコンパクトなビデオ顕微鏡。
【請求項２】
ケーシング（１ａ）の背面に、データ伝送用の接続フィールド（１７）が装着されていることを特徴とする、請求項１に記載のコンパクトなビデオ顕微鏡。
【請求項３】
台脚（１ｂ）と、ビデオ鏡筒（６）とを有し、台脚（１ｂ）が、少なくとも一つの組み付け可能な光源（５）と、顕微鏡テーブル（２）と、少なくとも一つの対物レンズ（４）とを有しているコンパクトなビデオ顕微鏡において、
（ａ）ビデオ鏡筒（６）がモジュールとして、接眼レンズのない台脚（１ｂ）に適応可能であること、
（ｂ１）対物レンズ（４）からくる結像光束のための転向ミラー（２２）が設けられていること、
（ｂ２）前記結像光束を直接ＣＣＤイメージセンサ（２４）に合焦させるズーム系（２３）が転向ミラー（２２）の下流側に配置されていること、
（ｂ３）ＣＣＤイメージセンサ（２４）により制御され、対象物の像をスクリーン（８）上へ出力するコンピュータ（２５）が設けられ、スクリーン（８）が、対象物を視覚的に観察するための唯一の出力手段を成し、且つ透明な平面スクリーン（８）として形成され、ビデオ鏡筒（６）の観察者側に組み込まれていること、
（ｃ）ＣＣＤイメージセンサ（２４）が対象物の光の作用から切り離し可能であり、ＣＣＤイメージセンサ（２４）を切り離した状態で、対象物の光が、光路内へ持ちきたし可能な少なくとも一つの反射ミラー（２８）および（または）少なくとも一つのプリズムへ入射し、反射ミラー（２８）および（または）プリズムは、対象物の光をスクリーン（８）の観察者側とは逆の側に投射すること、
（ｄ）投射された対象物の実際の像に、グラフィック、英数字、および（または）この対象物の実際の像を投射する前にＣＣＤイメージセンサ（２４）により記録され記憶されている対象物の像が、スクリーン（８）を用いて重畳可能であること、を特徴とするコンパクトなビデオ顕微鏡。
【請求項４】
ビデオ鏡筒（６）の背面に、データ伝送用の接続フィールド（１７）が装着されていることを特徴とする、請求項３に記載のコンパクトなビデオ顕微鏡。
【請求項５】
記憶されている対象物の像がデータ記憶媒体（１３，２６）に記憶されていることを特徴とする、請求項１から４までのいずれか一つに記載のコンパクトなビデオ顕微鏡。
【請求項６】
データ記憶媒体（１３）が交換可能であることを特徴とする、請求項５に記載のコンパクトなビデオ顕微鏡。
【請求項７】
ＣＣＤイメージセンサ（２４）が明・暗だけを記録し、光フィルタ（２１）および後続の付加的な色混合器を用いて、対象物のカラーイメージを３原色からコンピュータ（２５）により生成可能であることを特徴とする、請求項１から６までのいずれか一つに記載のコンパクトなビデオ顕微鏡。
【請求項８】
顕微鏡が、言語制御および（または）録音用のマイクロフォン（１４）と、付属のスピーカー（１５）を備えたコンファレンスカメラ（１６）とを備えていることを特徴とする、請求項１から７までのいずれか一つに記載のコンパクトなビデオ顕微鏡。
【請求項９】
顕微鏡が、古典的な外部光学要素のための光学的入力および（または）出力装置（１８）を有していることを特徴とする、請求項１から８までのいずれか一つに記載のコンパクトなビデオ顕微鏡。
【請求項１０】
顕微鏡が倒立光学顕微鏡として形成され、観察者側のスクリーン（８）がケーシングの下部部分に配置されていることを特徴とする、請求項１から９までのいずれか一つに記載のコンパクトなビデオ顕微鏡。
【発明の詳細な説明】
本発明は、請求項１または請求項３の前提概念に記載のコンパクトなビデオ顕微鏡に関する。請求項１の前提概念に記載のビデオ顕微鏡は、たとえば欧州特許公開第３８０９０４号公報に記載されている。
米国特許第４２０６９６６号公報から知られている顕微鏡では、対象物の像は、顕微鏡の上部ケーシング部分に収納されスクリーンとして用いられる焦点ガラスの背面に投射されて視覚的に表示される。さらに米国特許第５０３１０９９号公報から知られているコンピュータ援用型ビデオ顕微鏡は、通常の顕微鏡台脚を備えた顕微鏡と、顕微鏡とは別個に配置されるコンピュータと、コンピュータに付属しているモニター、プリンタ、キーボード等の周辺装置から構成されている。この場合コンピュータは、種々のプラグインカードを有している。これらのプラグインカードは、周辺装置との通信を可能にするばかりでなく、顕微鏡の種々の電動機の機能部（電動式フォーカシングドライブ、電動式Ｘ−Ｙテーブル）の制御をも可能にする。
この種の非一体型構成の欠点は、個々の構成要素（モニター、コンピュータ、その他の周辺装置）が作業面上に並設されているため、かなりの場所を必要とすることである。また、必要な多数の接続ケーブルは構造全体の信頼性を低下させ、作業周辺部の障害物となる。高解像度の表示は従来ブラウン管を備えたモニターで行われていたが、ブラウン管の場合、平面スクリーンとは異なり個々の画素が比較的大きいので、スクリーンの対角線は比較的大きくなる。しかも広い場所が必要であるばかりか、モニターの重量も重くなるので、場所を代えてシステム全体を使用するのが困難になる。同様に、場所を代えて使用するためには、分解時に接続ケーブルを切り離し、組み立て時に復元せねばならないのが不具合である。
ＷＯ９６／２０４２１Ａ１に記載されている装置は、実際の顕微鏡像を、第２の装置により得られた立体的な対象物の像表示と一緒に観察するために用いられる。この公知の装置の特徴は、二つの像表示を自動的に適合させることにより、観察者に対し常に幾何学的に一定の重畳像を提供する「適合性調整装置」が設けられていることである。この場合重要なことは、この「適合性調整装置」がアルゴリズム、位置測定装置、およびサーボモータにより、顕微鏡による表示と他の方法で発生した表示とを立体幾何学的に正確に調整する作業の負担を観察者にかけないことである。表示のためには別個のモニターが使用され、或いは使用される顕微鏡の接眼レンズを介して観察される小型のディスプレイが使用される。
これに対して本発明によるビデオ顕微鏡またはビデオ鏡筒によれば、顕微鏡の実際の像と記憶されている（有利には顕微鏡の）像とを、直接に塔載平面スクリーン上の見かけ上一つの面内で重畳させ、しかもこの重畳を視覚的に且つ手動で行うことが可能になる。
ドイツ特許公開第１９６０９２８８号公報から知られているビデオ顕微鏡は、ミニチュア化されたアッセンブリとして市販のコンピュータに組み込まれており、典型的にはこのコンピュータのドライブチャンネルに設けられ、或いは市販のコンピュータ周辺装置のケーシング内に設けた外部ユニットとして作動する。このミニチュア化された顕微鏡は、標準的なガラス板が自動的に供給されるので、特に医学的な実験操作における仕事に適している。この顕微鏡はある程度本出願と比較しうるものであり、このドイツ特許公開第１９６０９２８８号公報においては顕微鏡は既存のコンピュータに組み込まれるが、本発明によるビデオ鏡筒はコンピュータを含んでいるか、或いは別個のコンピュータにより操作される。
欧州特許公開第３８０９０４号公報に記載されている定量式光学顕微鏡は、像を定量的に検出するための高解像度光学顕微鏡を提供することを目的として提案されたものであり、非常に広い（「超ワイドな」）視野を得るために、広いセンサ面と高アパーチャーの対物レンズとを備えている。この光学装置の中心的な課題は、対象物を直接イメージセンサ上に結像させ、しかも対物レンズとイメージセンサの間にいかなる光学的結像要素も設けずにこれを達成することである。高解像度を達成するには、イメージフィールドを大きくし、同時に対物レンズのアパーチャーを高数値に設定する必要があるばかりか、多数の像要素を備えた広い面積のイメージセンサを設けねばならない。これによって、ただ一つの像で優れた検査が得られ、後で決定した部分を観察することにより、どの任意の位置でも詳細を考察することが可能になるが、この公知の解決法は、この種の特殊な対物レンズを創作し、準備しなければならない。明細書中で引用されている市販の対物レンズだけはこのような結像形態を達成しない。というのも、十分な光学的精度に対する要求を満たしたり、或いは光学的中間実像を生じさせるためには、これらの対物レンズは付加的な補正光学系を必要とするか、或いは鏡筒レンズを必要とするからである。ところで、本発明はまさにこの付加的な光学系を設けないようにするものである。さらに、イメージセンサとコンピュータの間でイメージデータを伝送させるためのビデオ信号を利用しないようにするものである。すべての構成要素をただ一つのケーシングに組み込むという観点、およびもっぱらスクリーンを介して観察を行うという観点は示唆されてもいなければ、説明もされていない。
これら公知の解決法の基本的な欠点は、ＣＣＤカメラのような電子的イメージセンサのために、接眼レンズのための中間像をも発生させる同じ鏡筒および付属の鏡筒レンズと協働する結像光学系により顕微鏡像を発生させることにある。今日一般に使用されている光学顕微鏡用の対物レンズを使用すると、イメージセンサのための光学系は常に鏡筒レンズの後方に位置する。しかし、イメージセンサの有効撮影面の対角線は接眼レンズのために必要とされる比較的大きな中間像よりもかなり小さいので、今日の通常の構造では、鏡筒レンズにより拡大された像は、イメージセンサへ結像させるために後で再び縮小される。これは、光学顕微鏡像をできるだけ少ないレンズで発生させて、光学系構成要素の反射および光吸収のような障害を少なくさせるという基本的な要求に矛盾している。
したがって本発明の課題は、光学顕微鏡において慣用されているすべてのコントラスト調整方法およびプレーパラートのすべてのタイプに適用される、ビデオ顕微鏡または顕微鏡台脚用のビデオ鏡筒において、コンパクトな構成、像およびこれに関連付けられるデータの快適な観察、および適当なソフトウェアにより支援される操作を可能にすることである。
この課題は、請求項１に記載の構成を備えたビデオ顕微鏡、または請求項３に記載の構成を備えたビデオ鏡筒により解決される。この顕微鏡またはビデオ鏡筒の有利な構成は、従属項の対象である。
このような顕微鏡またはこの種のビデオ鏡筒に対しては、システム全体の重量および場所需要が持続的に低減される。結局、鏡筒および接眼レンズを用いた像の光学的観察は行われない。その代わり、平面スクリーンの背面で検査像を光学的に表示することにより、プレパラート内でのオリエンテーションが可能になる。顕微鏡像の検出、表示、記録は純粋に電子的な方法で行われ、フィルム材や化学的な性質を持った他の像担持体のような補助手段なしに可能である。マイクロフォン、スピーカー、小型ビデオカメラのような、適当な電子信号変換器を介して搭載コンピュータに接続されている構成要素は光学顕微鏡の中に組み込むことができるので、光学顕微鏡の言語制御、像を含んでいる言語データの記録、ビデオ会議を含む遠距離通信を光学顕微鏡で直接行うという他の可能性が得られる。
本発明によるビデオ顕微鏡または本発明によるビデオ鏡筒は閉じたケーシングを有し、ケーシングの内部およびケーシングの外面に、光学顕微鏡の顕微鏡像を電子的に撮影し表示させるためのすべての光学的構成要素および電子的構成要素が配置されている。顕微鏡像を記録するため、同じケーシングが電子的イメージセンサを有している。たとえば多数の撮影要素を備えた１個または複数個の平面的または列状のＣＣＤセンサ、これに接続される電子的な構成要素、即ちイメージセンサから発生し像情報を担持している電流の増幅、制御、デジタル化に用いられる電子的な構成要素がそれである。したがって、同じケーシングが、コンピュータと、ソフトウェアによりコンピュータ内に発生する操作面以外の顕微鏡像およびデータを表示させるための平面スクリーンとを有している。また、マイクロフォン、スピーカー、小型ビデオカメラのような構成要素を同じケーシングに組み込むことができる。
変形実施形態によれば、本発明によるビデオ顕微鏡またはビデオ鏡筒は、像を平面スクリーンの背面または適当な投射面へ直接に光学的に投射するため、平面スクリーンの表示面のすぐ後ろにある面内に装備されている。したがって観察者は、投射された光学像を平面スクリーンの面の内側に見ることができる。組み込まれたコンピュータまたは他の遠隔のコンピュータを使用すれば、記号、グラフィック、および電子的にすでに発生せしめられた他の像とともに、投射された光学像を、接眼レンズ或いは同様の光学系を用いずに直接観察することができる。この装置は、プレパラートの除去を容易にするため、いつでも迅速に通電させることができる。
本発明による顕微鏡またはビデオ鏡筒の二つの変形実施形態では、光学的な入出力部が設けられている。これらの光学的な入出力部を介して、光学顕微鏡による観察方法のための古典的な外部構成要素、たとえば通常の鏡筒および接眼レンズを含む共同観察装置、フォトカメラ、ビデオカメラ、像反射器、製図器、および他の付属装置を接続させることができる。またこれらの入出力部は、共焦点の顕微鏡およびレーザー光線装置のためのモジュールを使用するためにも公知の態様で適用できる。
最近のほとんどすべての光学顕微鏡には、いわゆる無限遠光学系が使用される。無限遠光学系の場合、まず対物レンズは、対象物により前部焦点面からくる光線を対象物の後方で無限遠の交点と一致させる。適当な焦点距離を持った鏡筒レンズは、有限距離に最初の中間像を生じさせる。この場合１６０ｍｍないし２５０ｍｍが通常である。この鏡筒レンズ（そのバックフォーカスは接眼レンズを利用するために必要な比較的大きな中間像を発生させるために算出される）の後方には、イメージセンサを適応させるための他のレンズが設けられる。通常のイメージセンサの有効面の対角線は、接眼レンズで通常適用される中間像の径（１８ｍｍないし２８ｍｍ）に比べて非常に短いので（典型的には今日４ｍｍないし１２ｍｍ）、当初拡大された像は、イメージセンサの視野に適合させる目的で、部分的に無駄なアダプター光学系により縮小される。
本発明によるビデオ顕微鏡およびビデオ鏡筒では、像観察用の接眼レンズが使用されないことにより、このような状況は基本的に回避される。像の観察は、組み込まれた平面スクリーンを介して肉眼で行われる。したがって、接眼レンズを使用することにより強制的に使用せねばならない、長いバックフォーカスの鏡筒レンズを設ける必要がない。その代わり、イメージセンサのために、前述したプラクティスとは異なって、簡易化された像形成が保証される。即ち、ビデオ顕微鏡により発生したほぼ平行な光線は、鏡筒レンズを使用することなく、焦点距離可変で且つ像位置固定のズーム光学系により、イメージセンサの有効面へ合焦される。イメージセンサの前方でこのようなズーム対物レンズを使用することにより、デジタル像において有効になる全倍率を、したがって対象物側の視野の大きさをプレパラートの状況に適合させることができるので便利である。焦点距離の変更は、塔載されたコンピュータ、およびズーム光学系に接続されたモータ制御部を介して支援される。適当なエンコーダーを用いれば、この付加的な結像倍率の実際の値を公知の態様でコンピュータにより検出、表示して、像をデジタル評価する際に考慮に入れることができる。
さらに、単式または多重式に電動化され、コンピュータにより制御されるこの光学系により、使用される光の波長または使用される顕微鏡対物レンズの焦点位置に依存して、像位置の修正も行われる。
次に、本発明の詳細を、添付の図面に図示した実施形態に関し説明する。
図１ａは本発明によるコンパクトなビデオ顕微鏡の正面図である。
図１ｂは図１ａの側面図である。
図２は本発明による顕微鏡を、重要な光軸を含んでいる中心面で切断した垂直断面図である。
図３は光学的投射表示部が接続されている変形実施形態の、図２と同様の垂直断面図である。
図４ａは顕微鏡台脚と本発明によるビデオ鏡筒とを組み合わせた実施形態の正面図である。
図４ｂは図４ａの顕微鏡台脚との関連で示した、ビデオ鏡筒の中心面で切断した垂直断面図である。
図５はビデオ鏡筒と顕微鏡台脚との垂直断面図で、ビデオ鏡筒のモジュール構成をわかりやすく示すため、両ユニット間の距離をそのままで示した垂直断面図である。
図６は光学的投射表示部が接続されている他の変形実施形態の垂直断面図である。
図１ａと図１ｂはそれぞれ一体型顕微鏡の正面図および側面図である。ケーシング１ａは、透過型および反射形万能光学顕微鏡が通常有しているすべての構成要素を下部部分に含んでいる。図では、説明をわかりやすくするためにこれらの構成要素のうち顕微鏡テーブル２と、対物レンズレボルバー３と、対物レンズ４と、光源５が図示されている。出力が小さな照明装置はケーシング１ａの内側で作動するようにしてもよい。電動化に応じては、たとえば反射光用のフィルタディスク３１の場合のように、顕微鏡の構成要素は手動でも操作され、或いはケーシング底部７に収納されている透過光用のコンデンサの場合のように電動で調整される。しかし基本的には、できるだけ多くの構成要素にエンコーダーまたはモータを備えさせて、塔載コンピュータのソフトウェアをコントロールしてこれらの構成要素を制御するよう試みられる。他方、任意の構成要素を手動で操作してもよい。この場合コンピュータへフィードバックするためにエンコーダーを使用すると有利である。ケーシング１ａの上部部分には、観察者側に平面スクリーン８が取付けられている。平面スクリーン８は適当な投射面９を備えている。投射面９は通常の作動時に平面スクリーン８を均一に照明するのに役立つばかりでなく、光学顕微鏡により光学的な結像を行うためのプロジェクションスクリーン９としても用いられる。ケーシング１ａの下部部分には、操作者の手のアクセス領域に、対物レンズ４またはテーブル２を移動させることにより顕微鏡像を粗合焦または微合焦するための操作要素、光源５の明るさを調整するための操作要素、或いはスクリーンポインタ（カーソル）のための入力装置１２が設けられている。カーソルはコンピュータのソフトウェアとのやり取りを可能にし、電動型の顕微鏡光学系の座標調整を行うために利用される。コンピュータ２５によるデータ交換のため、データ記憶媒体１３（たとえばフロッピーディスク、磁気光学ディスク、磁気テープなど）用の１個または複数個の記憶装置が組み込まれている。言語データを検出するため、より厳密には、画像付きコメントの検出および一体型顕微鏡の言語制御を行うため、前面にマイクロフォン１４が設けられている。その再生は、特に、塔載のスピーカー１５によって行う。必要な場合には、さらに、遠距離間のビデオ会議を可能にする小型のビデオカメラ１６が設けられる。装置の背面にはコンピュータの接続フィールド１７が設けられ、公知の態様でキーボードのプラグ、プリンタ、データ伝送用のコード、その他関連機器が接続される。装置１ａの片側の側面または両側面には、外部の光学要素（たとえば共同観察用の装置、または像を反射させる装置、または光学顕微鏡の光路内へ光を放射するための装置など）を接続するための閉鎖可能な接続部１８を設けることができる。顕微鏡の設置位置の照明状況が好ましくない場合には、上方から入射する周囲光を平面スクリーン８およびこれに接続されている投射面９から遠ざけておくシールド１９により処置が講じられる。
図２は光路と、像を電子的に発生させるための構成要素とを図示したものである。焦点距離が無限遠の対物レンズを備えた古典的な光学顕微鏡を構成するための構成要素は、矢印で示した二つの部分の間にあり、詳細な説明を要しない。上の矢印が示す面は、鏡筒レンズを備えた鏡筒、ベントブリッジ、接眼レンズを含む面である。この場合、顕微鏡像を生じさせるための光線は対物レンズ４から来て、電動式のフィルタホイール可動台に有利に配置されている１個または複数個の光フィルタ２１を通過する。光フィルタにより像のコントラストの調整、光の減衰、特に色の抽出が達成される。また、顕微鏡対物レンズの瞳面を表示するための結像レンズまたは結像レンズ系、或いはプレパラートの概要を生じさせるための結像レンズまたは結像レンズ系も設けられている。転向ミラー２２または適当な転向プリズムにより、光はズーム光学系２３に送られる。ズーム光学系２３は、電子イメージセンサまたはラインセンサ２４の作用面に顕微鏡像を生じさせる。ズーム光学系２３の後方では複数個のイメージセンサ２４を選択的に利用することができ、即ち可動ミラーまたはビームスプリッターを通過した光線が光をイメージセンサ２４へ導くか、或いは利用しているイメージセンサ２４の作用面を像面内へもたらすようにして利用できる。像信号は、イメージセンサに接続されている電子系を介してコンピュータ２５に送られる。コンピュータ２５はそれ固有の給電網２０により給電される。像信号はコンピュータ２５により平面スクリーン８上で可視化され、交換可能な記憶媒体１３または固設されているデータ記憶媒体２６（たとえば磁気ハードディスク）に記憶される。コンピュータ２５の接続フィールド２７を介して像は他のデータとともにデータケーブルを介して他の機器へ送ることもできる。もちろん像およびデータをこの種のケーブルを介して他の機器で受信させることにより、平面スクリーンで表示させたり、さらに別の使用に具することもできる。
イメージセンサ２４は、最大で３種類のタイプのものを並設して使用することができる。たとえば像撮影用の高解像度センサ、有利にはブラック・ホワイトＣＣＤセンサを使用できる。この種の高解像度センサは、顕微鏡像を直接に撮影するか、或いはフィルターでスペクトル分解させた後、順次色を抽出して（たとえばレッド、グリーン、ブルー）撮影する。この色抽出は、コンピュータ２５により一体化されてカラーイメージを形成し、平面スクリーン上に表示される。他のイメージセンサは、有利には高反復率を持った、プレパラートのスキャンニングのためのカラーテレビ画像を提供する。このカラーテレビ画像はコンピュータ２５により通常のビデオ規格の１つにしたがって検出され、不具合な遅延を生じさせることなく平面スクリーン８上に表示される。ラインセンサは検査像の検出を可能にし、即ち特殊対物レンズ４またはフィルタホイール２１内のレンズを介して、或いは両者が同時に結像を行なうようにして検査象の検出を可能にする。次に検査像を形成させるため、被検査物を手動または電動により顕微鏡テーブル２で直線的に移動させ、コンピュータ２５により記録される。このため顕微鏡テーブル２は、実際の位置をコンピュータ２５に入力するために少なくとも一つの適当な変位計を有している。すべてのセンサは、適当な遮蔽処置により電磁照射線に対して保護され、必要な場合には、比較的長い積分時間により利用可能な感度レンジを広げるために冷却することもできる。
図３は、平面スクリーン８のすぐ後方に配置されているプロジェクションスクリーン９上に顕微鏡像を光学的に表示させる構成を示している。このため光はズーム光学系２３の後方でイメージセンサに導かれるのではなく、ミラー群２８および他の中間光学系２９を介してかなり拡大してプロジェクションスクリーン９へ導かれ、そこで一人または複数の操作者に可視化される。平面スクリーンの適当な照明装置３０と協働して、光学的に発生させたこの像にも、適当なソフトウェアおよびコンピュータ２５により英数字、グラフィックを観察および対話用に重畳させることができる。
最後に、比較の目的で、および被対象物を所定の方向に向けるための補助として、記憶されたデジタルイメージと実際の光学的イメージを重畳させることができる。特に研磨された反射観察用プレパラートに対しては、相対位置を一度記憶したプレパラートの位置を、目的に応じて再び見つけることができる。このため、以前に得られデジタルイメージを平面スクリーン８上で圧縮、拡大、回転、シフトさせることにより、記憶されているプレパラートのイメージを、重畳された光学的イメージと投射面９上で合同にもたらす。その後、以前にコンピュータ２５に記憶されている座標を、特定の位置を再び見つけ出すために使用する。
或いは、上記の投射を、ズーム光学系２３を使用せずに行うこともできる。この場合、対物レンズ４からくる光を、ミラー２８またはプリズムおよび焦点距離が長いレンズ群２９を用いて直接投射面９上へ結像させる。
図４ないし図６には、本発明によるビデオ顕微鏡をニ分割した実施形態が図示されている。この場合ビデオ顕微鏡は、モジュール状に構成されたビデオ鏡筒６と、顕微鏡台脚１ｂから成っている。なお、図１ないし図３において使用した符号をこの実施形態でも使用することにする。顕微鏡台脚１ｂは、特に、透過観察用コンデンサ３２と、合焦装置３３と、ランプの電圧を調整するための調整器３４と、同軸ドライブ３５とを有している。顕微鏡台脚１ｂと共同するビデオ鏡筒６の機能は、すでに述べた一体型コンパクトビデオ顕微鏡の機能に対応している。
【図１ａ】
0003712269.tif 000002
【図１ｂ】
0003712269.tif 000003
【図２】
0003712269.tif 000004
【図３】
0003712269.tif 000005
【図４ａ】
0003712269.tif 000006
【図４ｂ】
0003712269.tif 000007
【図５】
0003712269.tif 000008
【図６】
0003712269.tif 000009